(57)【要約】      （修正有）【課題】形状や数量が予め特定されていない食品類を収容する場合でも、包装箱内の空間を有効に利用することができ、包装箱内において食品類を仕切ることができ、食品類の型崩れを防止し、包装作業時の作業性を向上させ、また、食品類収容時における包装箱内の美観を良好な状態とする、仕切体を提供する。【解決手段】底板の周囲に側板を備え、上方又は／及び側方に開閉する開口部を有する箱体に、前記開口部から挿入可能とする、シート部材からなる仕切体であって、仕切体は、底板に対して起立する仕切片部１０を備え、仕切片部１０は、第一仕切片部１１と、第一仕切片部１１に上下方向に延びる弱化部３０を介して連設される第二仕切片部１２とを備える。【選択図】図１
0003222801.tif 000002
【実用新案登録請求の範囲】
【請求項１】
底板の周囲に側板を備え、上方又は／及び側方に開閉する開口部を有する箱体に、前記開口部から挿入可能とする、シート部材からなる仕切体であって、前記仕切体は、前記底板に対して起立する仕切片部を備え、前記仕切片部は、第一仕切片部と、前記第一仕切片部に上下方向に延びる弱化部を介して連設される第二仕切片部と、を備えることを特徴とする仕切体。
【請求項２】
前記仕切片部に、左右方向に延びる弱化部を介して連設され、前記底板に重なる底片部を備えることを特徴とする、請求項１に記載する仕切体。
【請求項３】
前記第一仕切片部に対して前記第二仕切片部を折り曲げ、前記底片部同士を係止し、又は前記底片部と前記仕切片部とを係止して折曲状態を保持することを特徴とする、請求項２に記載する仕切体。
【請求項４】
前記底片部は、前記第一仕切片部に左右方向に延びる弱化部を介して連設される第一底片部と、前記第二仕切片部に左右方向に延びる弱化部を介して連設される第二底片部と、を備えることを特徴とする、請求項２又は請求項３に記載する仕切体。
【請求項５】
前記第一仕切片部に対して前記第二仕切片部を折り曲げ、前記第一底片部と前記第二底片部とを係止して折曲状態を保持することを特徴とする、請求項４に記載する仕切体。
【請求項６】
前記第一底片部又は前記第二底片部のいずれか一方に係止片を備え、他方に係止スリットを備え、前記係止片を前記係止スリットに挿入して、前記第一底片部と前記第二底片部とを係止することを特徴とする、請求項５に記載する仕切体。
【請求項７】
前記仕切片部は、前記第一仕切片部の前記第二仕切片部を連設する側と対向する側、又は／及び前記第二仕切片部の前記第一仕切片部を連設する側と対向する側に、上下方向に延びる弱化部を介して連設される第三仕切片部を備えることを特徴とする、請求項１から請求項６のいずれか１項に記載する仕切体。
【請求項８】
前記第一仕切片部又は／及び第二仕切片部に対して前記第三仕切片部を折り曲げ、前記底片部同士を係止し、又は前記底片部と前記仕切片部とを係止して、折曲状態を保持することを特徴とする、請求項７に記載する仕切体。
【請求項９】
前記底片部は、前記第三仕切片部に左右方向に延びる弱化部を介して連設され、前記底板に重なる第三底片部を備えることを特徴とする、請求項７又は請求項８に記載する仕切体。
【請求項１０】
前記第一仕切片部又は／及び第二仕切片部に対して前記第三仕切片部を折り曲げ、前記第一底片部と第三底片部、又は／及び前記第二底片部と前記第三底片部とを係止して、折曲状態を保持することを特徴とする、請求項９に記載する仕切体。
【請求項１１】
前記第一底片部又は前記第三底片部のいずれか一方に係止片を備え、他方に係止スリットを備え、又は／及び前記第二底片部又は前記第三底片部のいずれか一方に係止片を備え、他方に係止スリットを備え、前記係止片を前記係止スリットに挿入して、前記第一底片部と前記第三底片部、又は／及び前記第二底片部と前記第三底片部とを係止することを特徴とする、請求項１０に記載する仕切体。
【請求項１２】
前記仕切片部は、上端部を切り離し、又は折り畳んで高さの調整を可能とする、左右方向に延びる弱化部を備えることを特徴とする、請求項１から請求項１１のいずれか１項に記載する仕切体。
【請求項１３】
前記仕切片部は、左右端部を切り離し、又は折り畳んで幅の調整を可能とする、上下方向に延びる弱化部を備えることを特徴とする、請求項１から請求項１２のいずれか１項に記載する仕切体。
【考案の詳細な説明】
【技術分野】
【０００１】  本考案は、菓子等の食品類を収容する箱体内に配置する仕切体に関する。
【背景技術】
【０００２】  従来、包装箱に収容して運搬される菓子等の食品類は、包装箱内で食品類同士が接触することにより容易に型崩れを起こしてしまう。このため、例えば、型崩れ防止手段として、菓子等の収容位置を固定するための仕切板を、予め包装箱内に設ける技術は知られている（特許文献１参照）。また、帯状の本体を巻きまわして筒状に形成したスペーサ−を、包装箱内に収容された菓子と菓子との隙間に載置する技術は知られている（特許文献２参照）。
【先行技術文献】
【特許文献】
【０００３】
【特許文献１】実用新案登録第３０３０８５４号公報
【特許文献２】実用新案登録第３１２０９４９号公報
【０００４】  しかしながら、菓子類の収容位置を固定するための仕切板を予め包装箱内に設ける技術では、予め特定された形状や数量に合わせて、包装箱内に仕切板を設けるものである。このため、形状や数量が予め特定された菓子類を収容する場合には、効率的に菓子類を配列して、包装箱内の空間を有効に利用することができ、包装箱内において菓子類を仕切ることができ、また、菓子類の型崩れを防止することができる。一方、形状や数量が予め特定されない菓子類を収容する場合には、効率的に食品類を配列することができず、包装箱内の空間を有効に利用することができない。また、菓子類に合わせて仕切板の位置を調節して、包装箱内で仕切板を適切に配置することができないため、包装箱内において、菓子類を仕切ることができず、菓子類の型崩れを防止することができない。
また、帯状の本体を巻きまわして筒状に形成したスペーサ−を包装箱内に収容された菓子と菓子との隙間に載置する技術では、菓子等の形状や数量に合わせてスペーサ−を形成しなければならず、包装作業が煩雑なものとなる。さらに、スペーサーを包装箱内に載置することにより包装箱内の美観を損ねる。
【考案の開示】
【考案が解決しようとする課題】
【０００５】  本考案は、以上の如き状況を鑑みてなされたものであり、形状や数量が予め特定されていない菓子等の食品類を収容する場合でも、包装箱内の空間を有効に利用することができ、包装箱内において食品類を仕切ることができ、食品類の型崩れを防止し、包装作業時の作業性を向上させ、また、食品類収容時における包装箱内の美観を良好な状態とする、仕切体を提供することを目的とする。
【課題を解決するための手段】
【０００６】  本考案の解決しようとする課題は以上の如くであり、次にこの課題を解決するための手段を説明する。【０００７】  第１の考案では、底板の周囲に側板を備え、上方又は／及び側方に開閉する開口部を有する箱体に、前記開口部から挿入可能とする、シート部材からなる仕切体であって、前記仕切体は、前記底板に対して起立する仕切片部を備え、前記仕切片部は、第一仕切片部と、前記第一仕切片部に上下方向に延びる弱化部を介して連設する第二仕切片部と、を備えることを特徴とする仕切体である。【０００８】  第２の考案では、第１の考案であって、前記仕切片部に、左右方向に延びる弱化部を介して連設され、前記底板に重なる底片部を備えることを特徴とする仕切体である。【０００９】  第３の考案では、第２の考案であって、前記第一仕切片部に対して前記第二仕切片部を折り曲げ、前記底片部同士を係止し、又は前記底片部と前記仕切片部とを係止して折曲状態を保持することを特徴とする仕切体である。【００１０】  第４の考案では、第２又は第３の考案であって、前記底片部は、前記第一仕切片部に左右方向に延びる弱化部を介して連設される第一底片部と、前記第二仕切片部に左右方向に延びる弱化部を介して連設される第二底片部と、を備えることを特徴とする仕切体である。【００１１】  第５の考案では、第４の考案であって、前記第一仕切片部に対して前記第二仕切片部を折り曲げ、前記第一底片部と前記第二底片部とを係止して折曲状態を保持することを特徴とする仕切体である。【００１２】  第６の考案では、第５の考案であって、前記第一底片部又は前記第二底片部のいずれか一方に係止片を備え、他方に係止スリットを備え、前記係止片を前記係止スリットに挿入して、前記第一底片部と前記第二底片部とを係止することを特徴とする仕切体である。【００１３】  第７の考案では、第１から第６のいずれかの考案であって、前記仕切片部は、前記第一仕切片部の前記第二仕切片部を連設する側と対向する側、又は／及び前記第二仕切片部の前記第一仕切片部を連設する側と対向する側に、上下方向に延びる弱化部を介して連設される第三仕切片部を備えることを特徴とする仕切体である。【００１４】  第８の考案では、第７の考案であって、前記第一仕切片部又は／及び第二仕切片部に対して前記第三仕切片部を折り曲げ、前記底片部同士を係止し、又は前記底片部と前記仕切片部とを係止して、折曲状態を保持することを特徴とする仕切体である。【００１５】  第９の考案では、第７又は第８の考案であって、前記底片部は、前記第三仕切片部に左右方向に延びる弱化部を介して連設され、前記底板に重なる第三底片部を備えることを特徴とする仕切体である。【００１６】  第１０の考案では、第９の考案であって、前記第一仕切片部又は／及び第二仕切片部に対して前記第三仕切片部を折り曲げ、前記第一底片部と第三底片部、又は／及び前記第二底片部と前記第三底片部とを係止して、折曲状態を保持することを特徴とする仕切体である。【００１７】  第１１の考案では、第１０の考案であって、前記第一底片部又は前記第三底片部のいずれか一方に係止片を備え、他方に係止スリットを備え、又は／及び前記第二底片部又は前記第三底片部のいずれか一方に係止片を備え、他方に係止スリットを備え、前記係止片を前記係止スリットに挿入して、前記第一底片部と前記第三底片部、又は／及び前記第二底片部と前記第三底片部とを係止することを特徴とする仕切体である。【００１８】  第１２の考案では、第１から第１１の考案であって、前記仕切片部は、上端部を切り離し、又は折り畳んで高さの調整を可能とする、左右方向に延びる弱化部を備えることを特徴とする仕切体である。【００１９】  第１３の考案では、第１から第１２の考案であって、前記仕切片部は、左右端部を切り離し、又は折り畳んで幅の調整を可能とする、上下方向に延びる弱化部を備えることを特徴とする仕切体である。
【考案の効果】
【００２０】  本考案によれば、形状や数量が予め特定されていない菓子等の食品類を収容する場合でも、収容する食品の形状や大きさに対応した仕切体の形態を選択して組み立て、箱内に配置することができる。
このため、包装箱内の空間を有効に利用することができ、包装箱内において食品類を仕切ることができ、食品類の型崩れを防止することができる。また、食品類収容時における包装箱内の美観を良好な状態とすることができる。さらには、簡単に組み立てることができ、包装作業時の作業性を向上させることができる。
【図面の簡単な説明】
【００２１】
【図１】仕切体１の展開体１Ｔを示す平面図。
【図２】箱体５０を示す斜視図。
【図３】仕切体１Ａを示す斜視図。
【図４】容器本体６０に仕切体１Ａを設置した状態の斜視図。
【図５】仕切体１Ｂを示す斜視図。
【図６】容器本体６０に仕切体１Ｂを設置した状態の斜視図。
【図７】仕切体１Ｃを示す斜視図。
【図８】容器本体６０に仕切体１Ｃを設置した状態の斜視図。
【図９】仕切体１Ｄを示す斜視図。
【図１０】容器本体６０に仕切体１Ｄを設置した状態の斜視図。
【図１１】仕切体２の展開体２Ｔを示す平面図。
【図１２】仕切体２Ａを示す斜視図。
【図１３】容器本体６０に仕切体２Ａを設置した状態の斜視図。
【図１４】仕切体２Ｂを示す斜視図。
【図１５】容器本体６０に仕切体２Ｂを設置した状態の斜視図。
【考案を実施するための形態】
【００２２】  以下に説明する本考案の第一実施形態である仕切体１、及び第二実施形態である仕切体２は、形状や数量が予め特定されていない菓子等の食品類を収容する場合、具体的には、店頭に並べられた異なる形状、大きさのケーキを購入者が選び、これを包装する場合に用いられる。
仕切体１、仕切体２は、板紙を用いて作成されるものであるが、段ボールシートやプラスチックシートなど他の板状部材で作成することもできる。
【００２３】  仕切体１は図１に示す展開体１Ｔを、仕切体２は図１１に示す展開体２Ｔを、箱体５０に収められるケーキ類の形状や大きさに合せて折り曲げるなどして、様々な形態で用いられるものである。
これらの実施形態においては、購入者が選んだ四角柱形状のケーキ１００Ａ（寸法：長辺１１０ｍｍ、短辺３５ｍｍ、高さ４５ｍｍ）、円柱形状のケーキ１００Ｂ（寸法：直径８０ｍｍ、高さ４５ｍｍ）、円柱形状のケーキ１００Ｃ（寸法：直径８０ｍｍ、高さ２５ｍｍ）、円柱形状のケーキ１００Ｃ（寸法：直径８０ｍｍ、高さ２５ｍｍ）を各１個収容するものとして説明する。
【００２４】  なお、便宜上、図中の矢印の方向に従って説明を行うが、本考案においては図中の矢印の方向に従って実施されることに特に限定するものではない。
【００２５】  ［第一実施形態］
まず、本考案の第一実施形態に係る仕切体１について、図１から図１０を用いて説明する。
【００２６】  まず、仕切体１の構成について、図１に従って説明する。
【００２７】  展開体１Ｔは、仕切片部１０と、底片部２０とから構成される。
【００２８】  仕切片部１０は、第一仕切片部１１と、第二仕切片部１２とからなる。
第二仕切片部１２は、第一仕切片部１１の右端縁に、上下方向に延びる弱化部３０を介して連設している。弱化部３０は、断続的な切込線によって折り曲げ可能に形成している。
本実施形態においては、第一仕切片部１１、第二仕切片部１２の左右幅をそれぞれ８０ｍｍ、上下幅（高さ）を７５ｍｍに設定している。
【００２９】  底片部２０は、第一底片部２１と、第二底片部２２とからなる。
第一底片部２１は、第一仕切片部１１の下端に、左右方向に延びる弱化部３１を介して連設している。
第二底片部２２は、第二仕切片部１２の下端に、左右方向に延びる弱化部３２を介して連設している。
弱化部３１、弱化部３２は、断続的な切込線によって折り曲げ可能に形成している。
第一底片部２１と第二底片部２２との間は、切込線と切り欠きによって分離して形成している。
第一底片部２１には、右側付近を切り込んで係止片２１ａを形成している。第二底片部２２には、左側付近を切り込んで、係止スリット２２ａを形成している。
【００３０】  また、仕切片部１０（第一仕切片部１１、第二仕切片部１２）には、弱化部３１、弱化部３２から上方（高さ）３７．５ｍｍの位置に、左右方向に延びる弱化部４０をミシン線によって形成し、上端部を切り離し又は折り畳み可能としている。さらに、第一仕切片部１１と第一底板部２１の左端から３０ｍｍの位置、及び第二仕切片部１２と第二底板部２２の右端から３０ｍｍの位置に、上下方向に延びる弱化部４１をミシン線によって形成し、左右端部を切り離し又は折り畳み可能としている。
【００３１】  次に、箱体５０について説明する。箱体５０は、板紙を折り曲げ組み立てて完成させる  、図２に示すように箱の上方及び側方（前方）を開口可能とするものである。
【００３２】  箱体５０は、容器本体６０と、蓋体７０とから構成され、容器本体６０は、底板６１の周囲に、右側板６２、左側板６３、前側板６４、後側板６５を備えている。後側板６５の上縁には、蓋板７１を連設している。
右側板６２の前側の端縁には、右前フラップ６２ａを連設している。左側板６３の前側の端縁には、左前フラップ６３ａを連設している。また、前側板６４の上端には、折込フラップ６４ａを連設している。前側板６４は右前フラップ６２ａ及び左前フラップ６３ａと折込フラップ６４ａとを係止することで閉口し、係止を解除すれば前側に倒れて開口する。
図２に示すように、蓋体７０及び前側板６４を開放した状態においては、箱体５０の上方及び前方が開口部となる。
箱体５０の寸法は、前後幅１５０ｍｍ、左右幅２１０ｍｍ、高さ１１０ｍｍに設定している。
【００３３】  次に、仕切体１の組み立て形態及び、箱体５０内における配置について説明する。
【００３４】  本実施形態では、まず、四角柱形状のケーキ１００Ａを容器本体６０の開口部から右奥側へ収容する。
次に、容器本体６０の開口部から組み立てた仕切体１を配置する。
このとき、仕切体１は、ケーキ１００Ａの形状、大きさを考慮し、ケーキ１００Ａの左側に沿うように配置すべく、仕切体１Ａの形態とする。
【００３５】  仕切体１Ａは、まず、第一仕切片部１１に対して、弱化部３１から第一底片部２１を前側へ略直角に折り曲げる。次に、第二仕切片部１２に対して、弱化部３２から第二底片部２２を後側へ略直角に折り曲げて組み立てる。
しかし、このまま使用すると仕切片部１０の前後幅は１６０ｍｍであるため、このままでは容器本体６０からオーバーサイズしてしまい、仕切体１Ａを設置することができない。そこで、第二仕切片部１２の弱化部４１から右端部を切り取り仕切片部１０の左右幅を１３０ｍｍとして、容器本体６０内に収まるように寸法を調整する。仕切体１Ａが完成した形態を図３に示す。
そして、仕切体１Ａを、図４に示すようにケーキ１００Ａの左側に配置し、必要に応じて第一底片部２１、第二底片部２２と、容器本体６０の底板６１とを粘着テープ等を用いて固定する。
配置された仕切体１Ａは、第一底片部２１、第二底片部２２が底板６１に重なり、仕切片部１１、仕切片部１２がケーキ１００Ａの左側に起立している。
【００３６】  なお、本実施形態では第一仕切片部１１に対して第二仕切片部１２を折り曲げていないが、第一仕切片部１１に対して弱化部３０から第二仕切片部１２をごくわずかに角度がつくように折り曲げるようにしてもよい。このようにすることで、仕切片部１０は剛性が増して前後側に倒れ込みにくくなる。ただし、この折り曲げがなくとも本考案の目的は果たされる。
【００３７】  次に、円柱形状のケーキ１００Ｂを容器本体６０の開口部から仕切体１Ａの左側に収容する。
次に、容器本体６０の開口部から組み立てた仕切体を配置する。
このとき、仕切体１は、ケーキ１００Ａの形状、大きさを考慮し、ケーキ１００Ｂの前側と左側に沿うように配置すべく、仕切体１Ｂの形態とする。
【００３８】  仕切体１Ｂは、まず、第一仕切片部１１に対して弱化部３１から第一底片部２１を前側に略直角に折り曲げ、第二仕切片部１２に対して弱化部３２から第二底片部２２を前側に略直角に折り曲げる。
そして、第一仕切片部１１に対して、弱化部３０から第二仕切片部１２を略直角に折り曲げる。
そして、第一底片部２１に設けた係止片２１ａを第二底片部２２に設けた係止スリット２２ａに挿入して係止すれば、第一仕切片部１１に対して第二仕切片部１２を折り曲げた状態、第一仕切片部１１に対して第一底片部２１を折り曲げた状態、第二仕切片部１２に対して第二底片部２２を折り曲げた状態が保持される。仕切体１Ｂが完成した形態を図５に示す。
【００３９】  このように組み立てた仕切体１Ｂを、図６に示すように、ケーキ１００Ｂの周囲に配置して、必要に応じて第一底片部２１、第二底片部２２と、容器本体６０の底板６１とを粘着テープ等を用いて固定する。
配置された仕切体１Ｂは、第一底片部２１、第二底片部２２が底板６１に重なり、仕切片部１１がケーキ１００Ｂの前側に起立し、仕切片部１２がケーキ１００Ｂの右側に起立している。
【００４０】  次に、円柱形状のケーキ１００Ｃを容器本体６０の開口部から仕切体１Ｂの左側に収容する。
次に、容器本体６０の開口部から組み立てた仕切体を配置する。
このとき、仕切体１は、ケーキ１００Ｃの形状、大きさを考慮し、ケーキ１００Ｃの前側と左側に沿い、かつケーキを見やすいように配置すべく、仕切体１Ｃの形態とする。
【００４１】  仕切体１Ｃは、前述の仕切体１Ｂと同様に、まず、第一仕切片部１１に対して弱化部３１から第一底片部２１を前方へ略直角に折り曲げ、第二仕切片部１２に対して弱化部３２から第二底片部２１を前方へ略直角に折り曲げる。次に、第一仕切片１１に対して弱化部３０から第二仕切片部１２を略直角に折り曲げる。そして、第一底片部２１に設けた係止片２１ａを第二底片部２２に設けた係止スリット２２ａに挿入して係止して組み立てる。
しかし、このまま使用すると仕切片部１０の高さは７５ｍｍであるのに対してケーキ１００Ｃの高さは２５ｍｍであるため、ケーキが見えにくくなり箱内の美観を損ねる。そこで、弱化部４０のミシン線から上端部を切り取って、第一仕切片部１１、及び第二仕切片部１２の高さを３７．５ｍｍとする。仕切体１Ｃが完成した形態を図７に示す。
このように組み立てた仕切体１Ｃを、図８に示すように、ケーキ１００Ｃの周囲に配置して、必要に応じて第一底片部２１、第二底片部２２と、容器本体６０の底板６１とを粘着テープ等を用いて固定する。
配置された仕切体１Ｃは、第一底片部２１、第二底片部２２が底板６１に重なり、仕切片部１１がケーキ１００Ｃの前側に起立し、仕切片部１２がケーキ１００Ｃの左側に起立し、かつ、ケーキが見やすくなっている。
【００４２】  次に、三角柱形状のケーキ１００Ｄを容器本体６０の開口部から仕切体１Ｂ、仕切体１Ｃの前側に収容する。
次に、容器本体６０の開口部から組み立てた仕切体を配置する。
このとき、仕切体１は、ケーキ１００Ｄの形状、大きさを考慮し、ケーキ１００Ｄの前側と左側に沿うように配置すべく、仕切体１Ｄの形態とする。
【００４３】  仕切体１Ｄは、前述の仕切体１Ｂ、仕切体１Ｃと同様に、まず、第一仕切片部１１に対して弱化部３１から第一底片部２１を前方へ略直角に折り曲げ、第二仕切片部１２に対して弱化部３２から第二底片部２１を前方へ略直角に折り曲げる。次に、第一仕切片部１１に対して、弱化部３０から第二仕切片部１２を略直角に折り曲げる。次に、第一底片部２１に設けた係止片２１ａを第二底片部２２に設けた係止スリット２２ａに挿入して係止して組み立てる。
しかし、このまま使用するとケーキ１Ｄの左側に沿う第一仕切片部１１の左右幅は８０ｍｍであるため、このままでは容器本体６０からオーバーサイズしてしまい、仕切体１Ｄを設置することができない。そこで、第二仕切片部１２の弱化部４１から右端部を切り取り第一仕切片部１２の左右幅を５０ｍｍとして、容器本体６０内に収まるように寸法を調整する。仕切体１Ｄが完成した形態を図９に示す。
【００４４】  このように組み立てた仕切体１Ｄを、図１０に示すように、ケーキ１００Ｄの周囲に配置して、必要に応じて第一底片部２１、第二底片部２２と、容器本体６０の底板６１とを粘着テープ等を用いて固定する。
配置された仕切体１Ｄは、第一底片部２１、第二底片部２２が底板６１に重なり、仕切片部１１がケーキ１００Ｄの前側に起立し、仕切片部１２がケーキ１００Ｂの左側に起立している。
【００４５】  このように、第一実施形態の仕切体１は、底板６１の周囲に右側板６２、左側板６３、前側板６４、後側板６５を備え、上方又は／及び側方に開閉する開口部を有する箱体５０に、開口部から挿入可能とする、シート部材からなる仕切体１であって、仕切体１は、底板６１に対して起立する仕切片部１０を備え、仕切片部１０は、第一仕切片部１１と、第一仕切片部に上下方向に延びる弱化部３０を介して連設される第二仕切片部１２とを備える。
【００４６】  このため、形状や数量が予め特定されていない菓子等の食品類（本実施形態では、ケーキ１Ａ〜１Ｄ）を収容する場合でも、収容する食品の形状や大きさに対応した仕切体（本実施形態では、仕切体１Ａ〜１Ｄ）の形態を選択して組み立て、箱内５０に配置することができる。
従って、箱体内の空間を有効に利用することができ、箱体内において食品類を仕切ることができ、食品類の型崩れを防止することができる。また、食品類収容時における箱体内の美観を良好な状態とすることができる。さらには、簡単に組み立てることができ、包装作業時の作業性を向上させることができる。
【００４７】  また、第一実施形態の仕切体１は、仕切片部１０に、左右方向に延びる弱化部３１、弱化部３２を介して連設され、箱体５０の底板６１に重なる底片部２０を備える仕切体である。
【００４８】  このため、上記の効果に加えて、底片部２０が仕切片部１０の底板６１に対する起立姿勢を確実に保持することができる。
【００４９】  また、第一実施形態の仕切体１は、第一仕切片部１１に対して第二仕切片部１２を折り曲げ、底片部２０同士を係止して、折曲状態を保持する仕切体である。
【００５０】  このため、上記の効果に加えて、収容するケーキの形状や大きさに合せて第一仕切片部１１に対して第二仕切片部１２を折り曲げた場合でも、その折曲状態を確実に保持することができる。
【００５１】  また、第一実施形態の仕切体１は、底片部２０は、第一仕切片部１１に左右方向に延びる弱化部３１を介して連設される第一底片部２１と、第二仕切片部１２に左右方向に延びる弱化部３２を介して連設される第二底片部２２と、を備える仕切体である。
【００５２】  このため、上記の効果に加えて、第一仕切片部１１と、第二仕切片部１２のそれぞれが底板６１に対して起立する姿勢を確実に保持することができる。
【００５３】  また、第一実施形態の仕切体１は、第一仕切片部１１に対して第二仕切片部１２を折り曲げ、第一底片部２１と第二底片部２１とを係止して折曲状態を保持する仕切体である。
【００５４】  このため、上記の効果に加えて、収容するケーキの形状や大きさに合せて第一仕切片部１１に対して第二仕切片部を折り曲げた場合でも、その折曲状態を確実に保持することができる。
【００５５】  また、第一実施形態の仕切体１は、第一底片部２１に係止片２１ａを備え、第二底片部２２に係止スリット２２ａを備え、係止片２１ａを係止スリット２２ａに挿入して、第一底片部２１と前記第二底片部２２とを係止する仕切体である。
【００５６】  このため、上記の効果に加えて、第一底片部２１と第二底片部２２とを簡単に係止することができ、また係止状態を確実に保持することができる。
【００５７】  また、第一実施形態の仕切体１は、仕切片部１０は、上端部を切り離して高さの調整を可能とする、左右方向に延びる弱化部４０を備える仕切体である。
【００５８】  このため、上記の効果に加えて、本実施形態におけるケーキ１００Ｃのように背が低いケーキであっても、仕切体１Ｃのように上端部を切り離して簡単に仕切体の高さを調整し、ケーキを見やすくして、ケーキ収容時における箱体５０の美観を良好な状態とすることができる。
【００５９】  また、第一実施形態の仕切体１は、仕切片部１０は、左右端部を切り離して幅の調整を可能とする、上下方向に延びる弱化部４１を備える仕切体である。
【００６０】  このため、上記の効果に加えて、本実施形態における仕切体１Ａ、仕切体１Ｄのように箱体からオーバーサイズする場合や、ケーキ寸法に合わせる場合に、左右端部を切り離して簡単に仕切体の幅を調整することができる。
【００６１】  ［第二実施形態］
【００６２】  次に、本考案の第二実施形態に係る仕切体２について、図２、図１１から図１５を用いて説明する。
【００６３】  まず、仕切体２の構成について、図１１に従って説明する。
【００６４】  展開体２Ｔは、仕切片部１０と、底片部２０とからなる。
【００６５】  仕切片部１０は、第一仕切片部１１と、第二仕切片部１２と、さらに第三仕切片部１３とからなる。
第一仕切片部１１と第二仕切片部１２については第一実施形態に係る仕切体１と同様の構成であるため、説明を省略する。
第三仕切片部１３は、第二仕切片部１２の右端縁に、上下方向に延びる弱化部３４を介して連設している。弱化部３４は、断続的な切込線によって折り曲げ可能に形成している。
本実施形態においては、第一仕切片部１１、第二仕切片部１２、第三仕切片部１３の左右幅をそれぞれ８０ｍｍ、上下幅（高さ）を７５ｍｍに設定している。
【００６６】  底片部２０は、第一底片部２１と、第二底片部２２と、第三底片部２３とからなる。
第一底片部２１については、第一実施形態に係る仕切体１と同様の構成であるため、説明を省略する。
第二底片部２２は、第二仕切片部１２の下端に、左右方向に延びる弱化部３２を介して連設している。弱化部３２は、断続的な切込線によって折り曲げ可能に形成している。
第二底片部２２の左右側付近には、切り込みによって、係止スリット２２ａ、係止スリット２２ｂを形成している。
第三底片部２３は、第三仕切片部１３の下端に、左右方向に延びる弱化部３３を介して連設している。弱化部３４は、断続的な切込線によって折り曲げ可能に形成している。
第二底片部２２と第三底片部２３との間は、切込線と切り欠きによって分離して形成している。
第三底片部２３の左側付近には、切り込みによって係止片２３ａを形成している。
【００６７】  また、仕切片部１０（第一仕切片部１１、第二仕切片部１２、第三仕切片部１３）には、弱化部３１、弱化部３２、弱化部３３から上方（高さ）３７．５ｍｍの位置に、左右方向に延びる弱化部４０をミシン線によって形成し、上端部を切り離し又は折り畳み可能としている。さらに、第一仕切片部１１と第一底板部２１の左端から３０ｍｍの位置、及び第三仕切片部１３と第三底板部２３の右端から３０ｍｍの位置に、上下方向に延びる弱化部４１をミシン線によって形成し、左右端部を切り離し又は折り畳み可能としている。
【００６８】  次に、仕切体２の組み立て形態及び、箱体５０内における配置について説明する。
【００６９】  本実施形態では、まず、第一実施形態と同様に、四角柱形状のケーキ１００Ａを容器本体６０の開口部から右奥側へ収容する。
次に、円柱形状のケーキ１００Ｂを容器本体６０の開口部からケーキ１００Ａの左側に収容する。
次に、容器本体６０の開口部から組み立てた仕切体２を配置する。
このとき、仕切体２は、ケーキ１００Ｂの形状、大きさを考慮し、ケーキ１００Ｂの左右側及び前側に沿うように配置すべく、仕切体２Ａの形態とする。
【００７０】  仕切体２Ａは、まず、第一仕切片部１１に対して弱化部３１から第一底片部２１を前方へ略直角に折り曲げ、第二仕切片部１２に対して弱化部３２から第二底片部２２を前方へ略直角に折り曲げ、第三仕切片部１３に対して弱化部３３から第三底片部２３を前方へ略直角に折り曲げる。
次に、第一仕切片部１１に対して弱化部３０から第二仕切片部１２を略直角に折り曲げ、第二仕切片部１２に対して弱化部３４から第二仕切片部１３を略直角に折り曲げる。
そして、第一底片部２１に設けた係止片２１ａを第二底片部２２に設けた係止スリット２２ａに挿入し、第三底片部２３に設けた係止片２３ａを第二底片部２２に設けた係止スリット２２ｂに挿入して係止すれば、第一仕切片部１１に対して第二仕切片部１２を折り曲げた状態、第二仕切片部１２に対して第三仕切片部１３を折り曲げた状態、第一仕切片部１１に対して第一底片部２１を折り曲げた状態、第二仕切片部１２に対して第二底片部２２を折り曲げた状態、第三仕切片部１３に対して第三底片部２３を折り曲げた状態が保持される。仕切体２Ａが完成した形態を図１２に示す。
【００７１】  このように組み立てた仕切体２Ａは、図１３に示すように、ケーキ１００Ｂの周囲に配置して、必要に応じて第一底片部２１、第二底片部２２と、容器本体６０の底板６１とを粘着テープ等を用いて固定する。
配置された仕切体２Ａは、仕切片部１１がケーキ１００Ｂの左側に起立し、仕切片部１２がケーキ１００Ｂの前側に起立し、仕切片部１３がケーキ１００Ｂの右側に起立している。
【００７２】  次に、円柱形状のケーキ１００Ｃを容器本体６０の開口部から仕切体２Ａの左側に収容する。
【００７３】  次に、三角柱形状のケーキ１００Ｄを容器本体６０の開口部から仕切体１Ｂ、ケーキＣの前側に収容する。
次に、容器本体６０の開口部から組み立てた仕切体２を配置する。
このとき、仕切体２は、ケーキ１００Ｄの寸法、形状を考慮し、ケーキ１００Ｄの右側、後側に沿うように配置すべく、仕切体２Ｂの形態とする。
【００７４】  仕切体２Ｂは、まず、第一仕切片部１１に対して弱化部３１から第一底片部２１を前方へ略直角に折り曲げ、第二仕切片部１２に対して弱化部３２から第二底片部２１を前方へ略直角に折り曲げ、第三仕切片部１３に対して弱化部３３から第三底片部２３を前方へ略直角に折り曲げる。
次に、第一仕切片部１２に対して弱化部３４から第三仕切片部１３を略直角に折り曲げる。
さらに、第三底片部２３に設けた係止片２３ａを第二底片部２２に設けた係止スリット２２ａに挿入して係止して組み立てる。
しかし、このまま使用するとケーキ１００Ｄの短辺側を仕切る第三仕切片部１３の左右幅は８０ｍｍであるため、このままでは容器本体６０からオーバーサイズしてしまい、仕切体２Ｂを設置することができない。そこで、弱化部４０のミシン線を切り取って、第三仕切片部１３の左右幅を５０ｍｍとする。仕切体２Ｂが完成した形態を図１４に示す。
このように組み立てた仕切体２Ｂを図１５に示すように、ケーキＤの周囲に配置して、必要に応じて第一底片部２１、第二底片部２２、第三底片部２３と、容器本体６０の底板６１とを粘着テープ等を用いて固定する。
配置された仕切体２Ｂは、仕切片部１３がケーキ１００Ｄの右側に起立し、仕切片部１１、仕切片部１２がケーキ１００Ｄの後側に起立している。
【００７５】  このように、第二実施形態の仕切体２は、仕切片部１０は、第二仕切片部１２の第一仕切片部１１を連設する側と対向する側に、上下方向に延びる弱化部３４を介して連設される第三仕切片部１３を備える仕切体である。
【００７６】  このため、形状や数量が予め特定されていない菓子等の食品類（本実施形態では、ケーキ１Ａ〜１Ｄ）を収容する場合でも、収容する食品の形状や大きさに対応した仕切体（本実施形態では、仕切体２Ａ、２Ｂ）の形態を選択して組み立て、箱内５０に配置することができる。
従って、箱体内の空間を有効に利用することができ、箱体内において食品類を仕切ることができ、食品類の型崩れを防止することができる。また、食品類収容時における箱体内の美観を良好な状態とすることができる。さらには、簡単に組み立てることができ、包装作業時の作業性を向上させることができる。
【００７７】  また、第二実施形態の仕切体２は、第二仕切片部１２に対して第三仕切片部１３を折り曲げ、底片部２０同士を係止して折曲状態を保持することを特徴とする仕切体である。
【００７８】  このため、上記の効果に加えて、収容するケーキの形状や大きさに合せて第二仕切片部１２に対して第三仕切片部１３を折り曲げた場合でも、その折曲状態を確実に保持することができる。
【００７９】  また、第二実施形態の仕切体２は、底片部２０は、第三仕切片部１３に左右方向に延びる弱化部３４を介して連設され、底板６１に重なる第三底片部２３を備える仕切体である。
【００８０】  このため、上記の効果に加えて、第三仕切片部１３が底板６１に対して起立する姿勢を確実に保持することができる。
【００８１】  また、第二実施形態の仕切体２は、第二仕切片部１２に対して第三仕切片部１３を折り曲げ、第二底片部２２と第三底片部２３とを係止して、折曲状態を保持する仕切体である。
【００８２】  このため、上記の効果に加えて、収容するケーキの形状や大きさに合せて第二仕切片部１２に対して第三仕切片部１３を折り曲げた場合でも、その折曲状態を確実に保持することができる。
【００８３】  また、第二実施形態の仕切体２は、第二底片部２２に係止スリット２２ｂを備え、第三底片部２３に係止片２３ａを備え、係止片２３ａを係止スリット２２ｂに挿入して、第二底片部２２と第三底片部２３とを係止する仕切体である。
【００８４】  このため、上記の効果に加えて、第二底片部２２と第三底片部２３とを簡単に係止することができ、また係止状態を確実に保持することができる。
【００８５】  また、第二実施形態の仕切体２は、仕切片部１０（第一仕切片部１１、第二仕切片部１２、第三仕切片部１３）は、上端部を切り離して高さの調整を可能とする、左右方向に延びる弱化部４０を備える仕切体である。
【００８６】  このため、上記の効果に加えて、収容するケーキの背が低い場合には、上端部を切り離して簡単に仕切体の高さを調整し、ケーキを見やすくして、ケーキ収容時における箱体５０の美観を良好な状態とすることができる。
【００８７】  また、第二実施形態の仕切体２は、仕切片部１０は、左右端部を切り離して幅の調整を可能とする、上下方向に延びる弱化部４１を備える仕切体である。
【００８８】  このため、上記の効果に加えて、本実施形態における仕切体２Ｂのように箱体からオーバーサイズする場合や、ケーキ寸法に合わせる場合に、左右端部を切り離して簡単に仕切体の幅を調整することができる。
【００８９】  以上、本考案の実施形態について説明したが、本考案の技術的範囲はこれらの実施形態に限定されるものではない。
例えば、仕切板部１０には弱化部４０、仕切板部１０及び底板部２０には弱化部４１を設けており、必要に応じて切り取って使用する他、当該弱化部から折り曲げて使用することもできる。
【００９０】  また、これらの実施形態においては、弱化部４０はミシン線で設けているが、ハーフカット等切り取りや折り畳みが容易な加工方法によって設けることができる。
【００９１】  また、これらの実施形態においては、係止片２１ａ、２３ａと係止スリット２２ａ、２２ｂによって底片部２０同士を係止しているが、係止手段は限定されない。
【００９２】  本考案の仕切体は、箱体の収容物の形状、大きさに応じて様々な形態を採ることを可能とするものであって、第一実施形態の仕切体１は、その構成が許す限り、示された仕切体１Ａから仕切体１Ｄの形態以外の形態とすることもできる。
また、第二実施形態の仕切体２は、その構成が許す限り、示された仕切体２Ａ、仕切体２Ｂの形態以外の形態とすることもできる。
【００９３】  本考案の技術的範囲は、本明細書及び図面に記載した事項から明らかになる考案が真に意図する技術的思想の範囲全体に、広く及ぶものである。
【符号の説明】
【００９４】１、１Ａ、１Ｂ、１Ｃ、１Ｄ、２、２Ａ、２Ｂ  仕切体
１Ｔ、２Ｔ  展開体
１０    仕切片部
１１    第一仕切片部
１２    第二仕切片部
１３    第三仕切片部
２０    底片部
２１    第一底片部
２１ａ、２３ａ  係止片
２２ａ、２２ｂ  係止スリット
２３    第三底片部
３０、３１、３２、３３、３４、４０、４１  弱化部
５０    箱体
６０    容器本体
６１    底板部
６２    左側板部
６２ａ  左前フラップ
６３    右側板部
６３ａ  右前フラップ
６４    前側板部
６４ａ  折込フラップ
６５    後側板部
７０    蓋体
７１    天板
１００Ａ、１００Ｂ、１００Ｃ、１００Ｄ  ケーキ
【図１】
0003222801.tif 000003
【図２】
0003222801.tif 000004
【図３】
0003222801.tif 000005
【図４】
0003222801.tif 000006
【図５】
0003222801.tif 000007
【図６】
0003222801.tif 000008
【図７】
0003222801.tif 000009
【図８】
0003222801.tif 000010
【図９】
0003222801.tif 000011
【図１０】
0003222801.tif 000012
【図１１】
0003222801.tif 000013
【図１２】
0003222801.tif 000014
【図１３】
0003222801.tif 000015
【図１４】
0003222801.tif 000016
【図１５】
0003222801.tif 000017
【手続補正書】
【提出日】令和1年6月19日(2019.6.19)
【手続補正１】
【補正対象書類名】実用新案登録請求の範囲
【補正対象項目名】全文
【補正方法】変更
【補正の内容】
【実用新案登録請求の範囲】
【請求項１】
底板の周囲に側板を備え、上方又は／及び側方に開閉する開口部を有する箱体に、前記開口部から挿入可能とする、シート部材からなる仕切体であって、前記仕切体は、前記底板に対して起立する仕切片部を備え、前記仕切片部は、第一仕切片部と、前記第一仕切片部に上下方向に延びる弱化部を介して連設される第二仕切片部と、を備えることを特徴とする仕切体。
【請求項２】
前記仕切片部に、左右方向に延びる弱化部を介して連設され、前記底板に重なる底片部を備えることを特徴とする、請求項１に記載する仕切体。
【請求項３】
前記第一仕切片部に対して前記第二仕切片部を折り曲げ、前記底片部同士を係止し、又は前記底片部と前記仕切片部とを係止して折曲状態を保持することを特徴とする、請求項２に記載する仕切体。
【請求項４】
前記底片部は、前記第一仕切片部に左右方向に延びる弱化部を介して連設される第一底片部と、前記第二仕切片部に左右方向に延びる弱化部を介して連設される第二底片部と、を備えることを特徴とする、請求項２又は請求項３に記載する仕切体。
【請求項５】
前記第一仕切片部に対して前記第二仕切片部を折り曲げ、前記第一底片部と前記第二底片部とを係止して折曲状態を保持することを特徴とする、請求項４に記載する仕切体。
【請求項６】
前記第一底片部又は前記第二底片部のいずれか一方に係止片を備え、他方に係止スリットを備え、前記係止片を前記係止スリットに挿入して、前記第一底片部と前記第二底片部とを係止することを特徴とする、請求項５に記載する仕切体。
【請求項７】
前記仕切片部は、前記第一仕切片部の前記第二仕切片部を連設する側と対向する側、又は／及び前記第二仕切片部の前記第一仕切片部を連設する側と対向する側に、上下方向に延びる弱化部を介して連設される第三仕切片部を備えることを特徴とする、請求項１に記載する仕切体。
【請求項８】
前記仕切片部に、左右方向に延びる弱化部を介して連設され、前記底板に重なる底片部を備え、前記第一仕切片部又は／及び第二仕切片部に対して前記第三仕切片部を折り曲げ、前記底片部同士を係止し、又は前記底片部と前記仕切片部とを係止して、折曲状態を保持することを特徴とする、請求項７に記載する仕切体。
【請求項９】
前記底片部は、前記第一仕切片部に左右方向に延びる弱化部を介して連設される第一底片部と、前記第二仕切片部に左右方向に延びる弱化部を介して連設される第二底片部と、前記第三仕切片部に左右方向に延びる弱化部を介して連設される第三底片部を備えることを特徴とする、請求項８に記載する仕切体。
【請求項１０】
前記第一仕切片部又は／及び前記第二仕切片部に対して前記第三仕切片部を折り曲げ、前記第一底片部と前記第三底片部、又は／及び前記第二底片部と前記第三底片部とを係止して、折曲状態を保持することを特徴とする、請求項９に記載する仕切体。
【請求項１１】
前記第一底片部又は前記第三底片部のいずれか一方に係止片を備え、他方に係止スリットを備え、又は／及び前記第二底片部又は前記第三底片部のいずれか一方に係止片を備え、他方に係止スリットを備え、前記係止片を前記係止スリットに挿入して、前記第一底片部と前記第三底片部、又は／及び前記第二底片部と前記第三底片部とを係止することを特徴とする、請求項１０に記載する仕切体。
【請求項１２】
前記仕切片部は、上端部を切り離し、又は折り畳んで高さの調整を可能とする、左右方向に延びる弱化部を備えることを特徴とする、請求項１から請求項１１のいずれか１項に記載する仕切体。
【請求項１３】
前記仕切片部は、左右端部を切り離し、又は折り畳んで幅の調整を可能とする、上下方向に延びる弱化部を備えることを特徴とする、請求項１から請求項１２のいずれか１項に記載する仕切体。
【手続補正２】
【補正対象書類名】明細書
【補正対象項目名】００１３
【補正方法】変更
【補正の内容】
【００１３】  第７の考案では、第１の考案であって、前記仕切片部は、前記第一仕切片部の前記第二仕切片部を連設する側と対向する側、又は／及び前記第二仕切片部の前記第一仕切片部を連設する側と対向する側に、上下方向に延びる弱化部を介して連設される第三仕切片部を備えることを特徴とする仕切体である。
【手続補正３】
【補正対象書類名】明細書
【補正対象項目名】００１４
【補正方法】変更
【補正の内容】
【００１４】  第８の考案では、第７の考案であって、前記仕切片部に、左右方向に延びる弱化部を介して連設され、前記底板に重なる底片部を備え、前記第一仕切片部又は／及び第二仕切片部に対して前記第三仕切片部を折り曲げ、前記底片部同士を係止し、又は前記底片部と前記仕切片部とを係止して、折曲状態を保持することを特徴とする仕切体である。
【手続補正４】
【補正対象書類名】明細書
【補正対象項目名】００１５
【補正方法】変更
【補正の内容】
【００１５】  第９の考案では、第８の考案であって、前記底片部は、前記第一仕切片部に左右方向に延びる弱化部を介して連設される第一底片部と、前記第二仕切片部に左右方向に延びる弱化部を介して連設される第二底片部と、前記第三仕切片部に左右方向に延びる弱化部を介して連設される第三底片部を備えることを特徴とする仕切体である。
【手続補正５】
【補正対象書類名】明細書
【補正対象項目名】００１６
【補正方法】変更
【補正の内容】
【００１６】  第１０の考案では、第９の考案であって、前記第一仕切片部又は／及び前記第二仕切片部に対して前記第三仕切片部を折り曲げ、前記第一底片部と前記第三底片部、又は／及び前記第二底片部と前記第三底片部とを係止して、折曲状態を保持することを特徴とする仕切体である。